【事件の表示】
　特願２００３−３５５８３０「インクジェットプリンタの回復装置」拒絶査定不服審判事件〔平成１６年　１月２９日出願公開、特開２００４−　２５８９６〕について、次のとおり審決する。
【結　論】
　本件審判の請求は、成り立たない。
【理　由】
１．手続の経緯
　本願は、平成９年３月１８日に出願した特願平９−６４０８５号（以下、「原出願」という。）の一部を平成１５年１０月１６日に新たな特許出願としたものであって、平成１６年８月２３日付け拒絶理由通知に対して、同年１１月１２日付けで手続補正がされたが、平成１８年１月３０日付けで拒絶査定され、これに対し、同年３月２３日に拒絶査定不服の審判が請求されるとともに、同年４月２１日付けで明細書の手続補正がなされたものである。
　
　
　
２．平成１８年４月２１日付けの手続補正についての補正却下の決定
［補正却下の決定の結論］
　平成１８年４月２１日付けの手続補正（以下、「本件補正」という。）を却下する。
　
［理　由］
２−１．本件補正について
　本件補正は、特許請求の範囲及び発明の詳細な説明についてするものであり、その補正前後の特許請求の範囲の記載は次のとおりのものである。
（本件補正前の特許請求の範囲：平成１６年１１月１２日付け手続補正書）
「　【請求項１】
　記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　前記吸引ポンプ手段は、ポンプハウジング内においてポンプ室の容積を可変するように移動可能なピストン部材を有し、
　前記制御手段は、前記吸引キャップをノズル面に密着させた状態で前記記録ヘッドからインクを吸引するために前記ポンプ室を最小状態から所定の大きさに拡大し、その拡大状態から最小状態に戻し前記ポンプ室内のインクを排出する動作を一連の動作として行うように前記ピストン部材を移動させるカム部材を有し、そのカム部材の回転を制御して前記吸引動作を複数の態様のうちから選択的に実行可能であり、
　一つの吸引動作においては、前記カム部材を、前記ポンプ室の容積が最小状態から所定の大きさに拡大するまで連続的に駆動し、
　他の吸引動作においては、前記カム部材を、前記ポンプ室の容積が前記最小状態から前記所定の大きさに拡大するまで間欠的に駆動するとともに、前記ピストン部材を移動する時間と一時停止する時間のうち、前記一時停止する時間の長さを選択的に変化させ、前記一つの吸引動作での最大負圧に達するまでの負圧の立ち上がり時間よりも緩やかな立ち上がりで最大負圧を発生させる態様を含み、前記一つの吸引動作よりもそれぞれ小さな吸引力の複数の吸引態様を選択的に実行することを特徴とするインクジェットプリンタの回復装置。
　　【請求項２】
　前記ピストン部材は、相対移動可能な２個のピストン部材からなり、前記制御手段は、前記他の吸引動作において、前記２つのピストン部材の間隔を所定周期で所定ストローク量ずつ変化させることを特徴とする請求項１に記載のインクジェットプリンタの回復装置。
　　【請求項３】
　前記制御手段は、前記一つの吸引動作をインクの吐出不良を回復するときに使用し、前記他の複数の吸引動作をインクカートリッジの交換時、及びプリンタの使用期間の長さに応じて選択的に使用することを特徴とする請求項１または２に記載のインクジェットプリンタの回復装置。
　　【請求項４】
　前記カム部材は、前記各態様の吸引動作のあとで、前記吸引キャップの少なくとも一部を記録ヘッドのノズル面から離して吸引ポンプ手段により吸引キャップ内からインクを吸引する空吸引動作を行わせる請求項１に記載のインクジェットプリンタの回復装置。」
　
（本件補正後の特許請求の範囲）
「　【請求項１】
　記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　前記吸引ポンプ手段は、ポンプハウジング内においてポンプ室の容積を可変するように移動可能なピストン部材を有し、
　前記制御手段は、前記吸引キャップをノズル面に密着させた状態で前記記録ヘッドからインクを吸引するために前記ポンプ室を最小状態から所定の大きさに拡大し、その拡大状態から最小状態に戻し前記ポンプ室内のインクを排出する動作を一連の動作として行うように前記ピストン部材を移動させるカム部材を有し、そのカム部材の回転を
、前記ポンプ室の容積が最小状態から所定の大きさに拡大するまで連続的または一時停止する時間の長さを異ならせて間欠的に行うことを選択的に
　
前記複数の態様のうちの
回転
　
前記複数の態様のうちの
回転
　　【請求項２】
　前記ピストン部材は、相対移動可能な２個のピストン部材からなり、前記制御手段は、前記他の吸引動作において、前記２つのピストン部材の間隔を所定周期で所定ストローク量ずつ変化させることを特徴とする請求項１に記載のインクジェットプリンタの回復装置。
　　【請求項３】
　前記制御手段は、前記一つの吸引動作をインクの吐出不良を回復するときに使用し、前記他の複数の吸引動作をインクカートリッジの交換時、及びプリンタの使用期間の長さに応じて選択的に使用することを特徴とする請求項１または２に記載のインクジェットプリンタの回復装置。
　　【請求項４】
　前記カム部材は、前記各態様の吸引動作のあとで、前記吸引キャップの少なくとも一部を記録ヘッドのノズル面から離して吸引ポンプ手段により吸引キャップ内からインクを吸引する空吸引動作を行わせる請求項１に記載のインクジェットプリンタの回復装置。」
（審決注．補正箇所に下線を付した。）
　
　ここで、本件補正前後の特許請求の範囲を比較すると、独立請求項である請求項１については、補正前後において、その記載が概ね一致すること、ならびに、請求項１を引用する請求項２乃至４については補正前後において何ら記載が変更されていないことから見て、本件補正後の請求項１乃至４は本件補正前の請求項１乃至４に対応するものであると考えられる。
　上記を踏まえた上で、本件補正がいかなる事項を補正するものであるかについて以下に検討する。
　
　
２−２．補正目的について
　本件補正のうち、特許請求の範囲に対する補正は、補正前の特許請求の範囲の請求項１を、以下に示す（い）乃至（は）のとおり補正するものである。
（い）「カム部材の回転」の「制御」に関して、「ポンプ室の容積が最小状
　　　から所定の大きさに拡大するまで連続的または一時停止する時間の長
　　　さを異ならせて間欠的に行うことを選択的に」との記載を追加する補
　　　正
（ろ）「一つの吸引動作」および「他の吸引動作」との記載の前に、「前記
　　　複数の態様のうちの」との記載を追加する補正
（は）カム部材に関し、「駆動」するとの記載を、「回転」するとの記載に
　　　変更する補正
　
　上記各補正事項について検討する。
（１）補正事項（い）について
　補正事項（い）は、「カム部材の回転」の「制御」の内容を限定するものであるから、特許請求の範囲の減縮を目的とするものであると認められる。
（２）補正事項（ろ）について
　本件補正前後において共通する請求項１の記載中に、「吸引動作を複数の態様のうちから選択的に実行可能であり」との記載がある。してみると、本件補正前の請求項１においても、「吸引動作」が「複数の態様」のうちから選択されるものであることは明示されていたものである。したがって、補正事項（ろ）は、補正前後における請求項１に係る発明を特定するために必要な事項を、実質的に変更するものではない。
（３）補正事項（は）について
　本件補正前の請求項１には「カム部材の回転を制御する」との記載がある。してみると、本件補正前の請求項１におけるカム部材の「駆動」は、カム部材の「回転」を意味していたものであることは明らかである。したがって、補正事項（は）は、補正前後における請求項１に係る発明を特定するために必要な事項を、実質的に変更するものではない。
　
　よって、補正事項（い）乃至（は）よりなる本件補正は、全体として、平成１４年法律第２４号改正附則第２条第１項によりなお従前の例によるとされる同法による改正前の特許法第１７条の２第４項第２号に掲げる特許請求の範囲の減縮を目的とするものであると認め得るものであることから、本件補正後の請求項１に係る発明（以下、「本件補正発明」という。）について、これが特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かを、以下に検討する。
　
　
２−３．独立特許要件について
２−３−１．本件補正発明
　本件補正発明は、次のとおりのものである。
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　前記吸引ポンプ手段は、ポンプハウジング内においてポンプ室の容積を可変するように移動可能なピストン部材を有し、
　前記制御手段は、前記吸引キャップをノズル面に密着させた状態で前記記録ヘッドからインクを吸引するために前記ポンプ室を最小状態から所定の大きさに拡大し、その拡大状態から最小状態に戻し前記ポンプ室内のインクを排出する動作を一連の動作として行うように前記ピストン部材を移動させるカム部材を有し、そのカム部材の回転を、前記ポンプ室の容積が最小状態から所定の大きさに拡大するまで連続的または一時停止する時間の長さを異ならせて間欠的に行うことを選択的に制御して前記吸引動作を複数の態様のうちから選択的に実行可能であり、
　前記複数の態様のうちの一つの吸引動作においては、前記カム部材を、前記ポンプ室の容積が最小状態から所定の大きさに拡大するまで連続的に回転し、
　前記複数の態様のうちの他の吸引動作においては、前記カム部材を、前記ポンプ室の容積が前記最小状態から前記所定の大きさに拡大するまで間欠的に回転するとともに、前記ピストン部材を移動する時間と一時停止する時間のうち、前記一時停止する時間の長さを選択的に変化させ、前記一つの吸引動作での最大負圧に達するまでの負圧の立ち上がり時間よりも緩やかな立ち上がりで最大負圧を発生させる態様を含み、前記一つの吸引動作よりもそれぞれ小さな吸引力の複数の吸引態様を選択的に実行することを特徴とするインクジェットプリンタの回復装置。」
　
　
２−３−２．引用文献
（１）引用文献１
　原査定の拒絶の理由に引用され、本願の原出願の出願前に頒布された刊行物である特開平８−７２２６６号公報（以下、「引用文献１」という。）には、図示とともに以下（イ）乃至（ヌ）に示す記載がある。
　
（イ）「【実施例】第一および第二発明に共通の一実施例である吸引ポンプを備えたインクジェット記録装置を図面に基づいて詳細に説明する。このインクジェット記録装置の、吸引ポンプとそれを駆動する駆動装置の組み合わせである駆動装置付吸引ポンプが第三および第四発明に共通の一実施例である。図１において、１０はプラテンである。このプラテン１０は軸方向に延びた円筒状を成したものであり、図示しない軸を介してフレーム１２に矢印Ａ方向に回転可能に取り付けられている。プラテン１０に対向してインク噴射ヘッド１４が設けられている。」（段落【００２４】）
　
（ロ）「インク噴射ヘッド１４は、図示しない多数個のインク流路と、それらインク流路に対応して設けられた多数個のノズルを含むものである。・・・（中略）・・・インク流路に供給されたインクは、記録データに基づいて決められたノズルから噴射されることになる。インクは、プラテン１０とインク噴射ヘッド１４との間に供給される記録用紙３２に、キャリッジ１６の移動に伴って噴射され、それにより１行分の画像が形成される。１行分の画像形成が終了したならば、プラテン１０の回転により記録用紙３２が１行分送られ、再び１行分の画像の形成が行われる。この繰返しにより、記録用紙３２全体の画像形成が行われる。・・・（後略）」（段落【００３１】）
　
（ハ）「非記録位置にあるインク噴射ヘッド１４に対向する位置にはキャップ装置３４が設けられている。キャップ装置３４はプラテン１０の一端の側方に設けられており、インク噴射ヘッド１４に対向する位置にキャップゴム３６を備えている。キャップゴム３６の中央部には、幅１．５mm×長さ２０mm×深さ１mmの大きさの窪み３７が形成されている。この窪み３７を囲むキャップゴム３６の先端面が、インク噴射ヘッド１４の先端面のノズル列を囲む部分に密着することによって、ノズル列が気密に覆われる。以下、単に、ノズルが覆われると称することにする。また、窪み３７の底面には孔が形成されており、キャップ装置３４の本体に形成された図示しないインク通路に接続されている。インク通路は、吸引ポンプ３８に吸引チューブ４０によって接続されている。」（段落【００３２】）
　
（ニ）「キャップ装置３４は、矢印Ｅ方向に移動可能とされている。常には、後方の退避位置にあるが、記録終了後にインク噴射ヘッド１４が記録終了位置から非記録位置に移動させられると、それに連動して前進させられるようになっている。本実施例においては、インク噴射ヘッド１４が記録終了位置から非記録位置に移動させられると図示しないクラッチが接続され、キャップ装置３４が駆動モータ２８の駆動により前進させられるようになっているのである。同様に、記録開始時にインク噴射ヘッド１４が非記録位置から記録開始位置（記録終了位置と同じ）に移動させられると、それに連動してキャップ装置３４が後退させられる。したがって、インク噴射ヘッド１４が非記録位置にある間には、キャップ装置３４は前進位置にあり、キャップゴム３６がノズルを覆う状態にある。」（段落【００３３】）
　
（ホ）「吸引ポンプ３８は、図２に示すように、駆動装置５４と共に駆動装置付吸引ポンプ５６を構成しており、この駆動装置付吸引ポンプ５６が前記キャップ装置３４，キャップ装置３４を進退させるキャップ装置移動装置および吸引チューブ４０等と共に吸引装置５８を構成している。吸引ポンプ３８は、軸方向に真っ直ぐに延びた円筒状の本体６０と、その本体６０の内部に本体６０に対して軸方向に相対移動可能に嵌合された一対の可動部材としてのピストン６２，６４とを備えている。本実施例においては、本体６０が固定され、ピストン６２，６４が移動させられることによって、ピストン６２，６４と本体６０とが相対移動させられるようになっている。」（段落【００３６】）
　
（ヘ）「上記ポンプ駆動モータ１３０と、前記キャリッジ駆動モータ２８およびワイパ駆動モータ４６とは、当該インクジェット記録装置の制御装置３０により駆動回路を介して制御される。制御装置３０は、ＣＰＵ１３２，ＲＡＭ１３３，ＲＯＭ１３４，入力部１３５，出力部１３６等を備えたものであり、インクジェット記録装置全体の作動を制御するものであるが、図３には、吸引ポンプ３８の作動に関連する部分のみが記載されている。」（段落【００４６】）
　
（ト）「インク噴射ヘッド１４が非記録位置にあり、ノズルがキャップゴム３６によって覆われた状態にある間に、吸引スイッチ１４０が操作されれば、吸引作動プログラムが実行され、ポンプ駆動モータ１３０が制御される。本実施例においては、ポンプ駆動モータ１３０は、吸引、吐出が１回行われる間駆動されるようになっている。一方、吸引スイッチ１４１が操作されれば、吸引，吐出が複数回行われるようになっている。」（段落【００５０】）
　
（チ）「吸引スイッチ１４０，１４１は、インク噴射不良が生じた場合，メンテナンスを行う場合等インクを吸引する必要がある場合に操作されるスイッチである。吸引スイッチ１４１は、吸引スイッチ１４０の操作による吸引では、インク噴射不良が直らなかった場合，インク供給装置のインクカートリッジが交換された場合等インクを多量に吸引する必要がある場合に操作される。ノズルに気泡，塵等が溜まることが原因で噴射不良が生じた場合には、通常、吸引スイッチ１４０が操作される。・・・（後略）」（段落【００５１】）
　
（リ）「ポンプ駆動モータ１３０の作動によりカム８８が回転させられる。（Ｂ）に示すように、ピストン６４のみが右方へ移動させられ、ピストン６２は静止したままに保たれてポンプ室６９の容積が増大させられる。ポンプ室６９が負圧になり、ノズル内のインクが吸引され、吸入口６６からポンプ室６９に吸入される。厳密にいえば、インクは、キャップゴム３６の窪み３７内の空気が吸入された後に吸入される。ピストン６４の右方への移動に伴って、ポンプ室６９の容積が増大させられる間、インクの吸入が継続される。」（段落【００５３】）
　
（ヌ）「ポンプ室６９の容積が（Ｃ）に示す大きさになると、ピストン６２がピストン６４と共に同じ速度で右方へ移動させられる。ポンプ室６９の容積が一定に保たれたままでピストン６２，６４が移動させられるのである。この間においても、ポンプ室６９が大気圧になるまでインクは吸引され、吸入口６６からポンプ室６９に流入する。ピストン６２，６４の移動速度が非常に遅い場合には、ポンプ室６９の容積の増大に伴う吸入口６６からのインクおよび空気の流入によって、ポンプ室６９の圧力を常に大気圧に保つことも可能であるが、本実施例においては、ピストン６２，６４がポンプ室６９の圧力がインク等の流入により大気圧に戻るより早く移動させられる。そのため、ポンプ室６９が、容積の増加に伴って負圧にされ、ポンプ室６９の容積が一定に保たれている間においても、インクが吸引され、吸入口６６からポンプ室６９に流入するのである。」（段落【００５４】）
　
（ル）「（Ｄ）に示すように、吐出口６８が開放され、吸入口６６が塞がれると、ピストン６４の移動が停止させられ、ピストン６２のみが右方へ移動させられる。ポンプ室６９の容積が減少させられ、それに伴ってポンプ室６９に吸入されたインクが吐出口６８から吐出される。インクは、吐出チューブ４８を経て廃インクタンク５２に排出される。」（段落【００５５】）
　
　記載（ハ），記載（ホ）および記載（リ）から、引用文献１における「吸引ポンプ３８」は、「キャップ装置３４」を通じて「インク噴射ヘッド１４」のインクを吸引するものであると認められる。
　
　記載（ハ），記載（リ）乃至（ヌ）および図４から、引用文献１の「カム８８」は、「キャップ装置３４」を「インク噴射ヘッド１４」の「ノズル」に「密着」させた状態で前記「インク噴射ヘッド１４」からインクを吸引するために、「ポンプ室６９」を最小状態から所定の大きさに拡大し、その拡大状態から最小状態に戻すことにより、前記「ポンプ室６９」のインクを吐出する動作を一連の動作として行うように「ピストン６２，６４」を移動させるものであると認められる。
　
　引用文献１の明細書ならびに図面全体を参酌しつつ、上記記載（イ）乃至記載（ル）を検討すると、引用文献１には次の発明が記載されている（以下、「引用発明」という。）と認められる。
「記録用紙３２にインクを噴射して画像形成を行うインク噴射ヘッド１４と、該インク噴射ヘッド１４のノズルを覆う位置と退避位置とに移動可能なキャップ装置３４を有し該キャップ装置３４を通じてインク噴射ヘッド１４のインクを吸引する吸引ポンプ３８と、該吸引ポンプ３８を駆動制御するポンプ駆動モータ１３０，カム８８および制御装置３０とを備えたインクジェット記録装置１の吸引装置５８において、
　前記吸引ポンプ３８は円筒状の本体６０の内部にポンプ室６９の容積を増大および減少させるように移動可能なピストン６２，６４を有し、
　前記カム８８の回転により、前記キャップ装置３４をノズルに密着させた状態で前記インク噴射ヘッド１４からインクを吸引するために、前記ポンプ室６９を最小状態から所定の大きさに拡大し、その拡大状態から最小状態に戻し前記ポンプ室６９のインクを吐出する動作を一連の動作として行うように前記ピストン６２，６４を移動させる、インクジェット記録装置１の吸引装置５８。」
　
　
（２）引用文献２
　原査定の拒絶の理由に引用され、本願の原出願の出願前に頒布された刊行物である特開平６−３３６０３４号公報（以下、「引用文献１」という。）には、図示とともに以下（ａ）乃至（ｆ）に示す記載がある。
　
（ａ）「キャリッジに取り付けられ、かつヘッドユニットに向けてほぼ水平に延びる第１のインク供給路と、インクタンクと第１のインク供給路に連通する上向きに延びる第２のインク供給路とを備えた連結部材と、
前記連結部材にとりつけられ、印字信号に対応してインク滴を噴射するヘッドユニットと、
前記第２のインク供給路に連通し、かつインクタンクの中空針挿入口に嵌合する中空針と、
前記中空針と第２のインク供給路との間に形成されたテーパ状の凹部に水平方向に配置されたフィルタ部材と、
前記ヘッドユニットに着脱自在で吸引ポンプに連通するキャップ部材と、
間欠的に動作する第１の吸引モードと、連続的に動作する第２吸引モードで前記吸引ポンプを駆動する制御手段とを備えてなるインクジェット式記録装置。」（特許請求の範囲【請求項１】）
　
（ｂ）「【発明が解決しようとする課題】本発明はこのような問題に鑑みてなされたものであって、その目的とするところは気泡の発生を可及的に抑制するとともに、発生した気泡を速やかに排出することができるインクジェット式記録装置を提供することである。」（段落【０００３】）
　
（ｃ）「再び図１に戻って、図中符号４は、非印字領域に配置されたキャップ部材で、図示しない駆動機構によりヘッドユニット１のノズルプレート２６に当接してノズル開口２７、２７、２７‥‥の乾燥を防止するものである。キャップ部材４は、チューブ１２により吸引ポンプ５に接続されており、制御装置６によりインク吸引動作を行うように構成されている。このポンプ５としては、例えば支持体に間隔を設けて同一円周上となるように配置した複数のローラを、円形に配置された弾性チューブに弾接させ、支持体を直流モータで一方向に回動させる、いわゆるチューブポンプを用いることができる。なお、図中符号１０は、チューブ１３によりポンプ５の吐出口に接続する廃インクタンクを示す。」（段落【０００８】）
　
（ｄ）「この実施例において、インクタンク３を、キャリッジ３０にセットしてレバー３３を下げると、中空針９がインクタンク３の連通管４３に陥入する。この状態でヘッドユニット１にキャップ部材４を装着して、ポンプ５を作動させると、ポンプ５の吸引力がキャップ部材４を介してノズル開口２７、２７、２７‥‥に作用する。この負圧は第１のインク供給路４５、フィルタ部材５１、第２のインク供給路４７、中空針９を介してインクタンク３に作用してフォームに吸収されているインクがこれら流路に流れ込む。所定時間、例えば０．１乃至１秒が経過した段階でポンプを一時停止させて、吸引動作を停止する。所定時間、例えば０．１乃至１秒が経過した段階で再びポンプ５を作動させてフォーム１１からインクを吸い出す。」（段落【００１９】）
　
（ｅ）「このようにポンプ５を間欠駆動することにより、インク供給路を流れるインクの速度がＶ１、例えば１ｍｍ／秒以下で、しかも流量が０．０１ｃｃ／秒以下と極めて低い値に抑えられるため、整流となってフィルタ部材５１を通過することになり、フィルタ部材５１のメッシュによる泡立ちが防止される。なお、この際に気泡が発生したとしても、気泡Ｆ（図９（イ））は、フィルタ部材５１のメッシュで砕かれながらこれを通過し（同図（ロ））、細かい気泡ｆ、ｆ、ｆ‥‥となってインク供給路４７（同図（ハ））からヘッドユニット１に流れ込む。」（段落【００２０】）
　
（ｆ）「このような吸引動作を間欠的に複数回実行することにより、泡立ちを可及的に防止しながらインクタンク３からヘッドユニット１に至る流路にインクを充填する。このようにしてインクタンク３からヘッドユニット１の全ての流路にインクが流れ込んだ段階で、ポンプ５を連続的に２乃至１０秒間、つまりインクの流速がＶ２、具体的には約０．２ｃｃ／秒の高流速での吸引を継続させると、インクは速度Ｖ２の高速流となってタンク３からヘッドユニット１に流れ、ヘッドユニット１に流れ込んでいた小さな気泡やまた流路の壁面に付着している気泡を、その高速流により記録ヘッド１側に流し、ノズル開口２７からキャップ部材４に排出させる。この高速流によりインクを充填しても、インクタンク３からノズル開口に至る流路には既にインクが充填されているため、泡立ちを生じることはない。」（段落【００２１】）
　
　
２−３−３．対比
　本件補正発明と引用発明とを対比する。
　引用発明における「記録用紙３２」は、本件補正発明における「記録媒体」に相当する。
　引用発明における「画像形成」は、本件補正発明における「記録」に相当する。
　引用発明における「インク噴射ヘッド１４」は、本件補正発明における「記録ヘッド」に相当する。
　引用発明における「キャップ装置３４」は、本件補正発明における「吸引キャップ」に相当する。
　引用発明における「キャップ装置３４」が「ノズルを覆う位置と待避位置とに移動可能」である構成は、キャップ装置３４がノズルを覆う位置、すなわち、ノズル面に接触する位置と、キャップ装置３４がノズルに対する待避位置、すなわち、ノズル面から離れた位置とを移動可能であることを意味するものであるから、本件補正発明における「吸引キャップ」が「ノズル面に接離可能に接触する」構成に相当する。
　引用発明における「吸引ポンプ３８」は、本件補正発明における「吸引ポンプ手段」に相当する。
　引用発明における「ポンプ駆動モータ１３０，カム８８および制御装置３０」は、これらの構成が協働して「吸引ポンプ３８」の駆動を制御するものであるから、本件補正発明における「制御手段」に相当する。
　引用発明における「インクジェット記録装置」は、本件補正発明における「インクジェットプリンタ」に相当する。
　引用発明における「吸引装置５８」は、本件補正発明における「回復装置」に相当する。
　引用発明における「円筒状の本体６０」は、本件補正発明における「ポンプハウジング」に相当する。
　引用発明において「ポンプ室６９の容積を増大および減少させる」ことは、本件補正発明において「ポンプ室の容積を可変する」ことに相当する。
　引用発明における「ピストン６２，６４」は、本件補正発明における「ピストン部材」に相当する。
　引用発明における「カム８８」は、本件補正発明における「カム部材」に相当する。
　引用発明における「吐出する」は、本件補正発明における「排出する」に相当する。
　
　してみると、本件補正発明と引用発明とは、以下の点で一致している。
＜一致点＞
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えたインクジェットプリンタの回復装置において、
　前記吸引ポンプ手段はポンプハウジング内のポンプ室の容積を可変するように移動可能なピストン部材を有し、
　前記制御手段は、前記吸引キャップをノズル面に密着させた状態で前記記録ヘッドからインクを吸引するために、前記ポンプ室を最小状態から所定の大きさに拡大し、その拡大状態から最小状態に戻し前記ポンプ室のインクを排出する動作を一連の動作として行うように前記ピストン部材を移動させる、回転するカム部材を有するインクジェットプリンタの回復装置。」
　
　一方で、引用発明と、本件補正発明とは、以下の点で相違している。
＜相違点＞
　本件補正発明は、「カム部材」の「回転」に関して、「ポンプ室の容積が最小状態から所定の大きさに拡大するまで連続的または一時停止する時間の長さを異ならせて間欠的に行うことを選択的に制御」することにより、「吸引動作を複数の態様のうちから選択的に実行可能」なものであって、「複数の態様のうちの一つの吸引動作においては、前記カム部材を、前記ポンプ室の容積が最小状態から所定の大きさに拡大するまで連続的に回転」できるとともに、「複数の態様のうちの他の吸引動作においては、前記カム部材を、前記ポンプ室の容積が前記最小状態から前記所定の大きさに拡大するまで間欠的に回転するとともに、前記ピストン部材を移動する時間と一時停止する時間のうち、前記一時停止する時間の長さを選択的に変化させ、前記一つの吸引動作での最大負圧に達するまでの負圧の立ち上がり時間よりも緩やかな立ち上がりで最大負圧を発生させる」ことにより、「前記一つの吸引動作よりもそれぞれ小さな吸引力の複数の吸引態様を選択的に実行する」ことができるように制御するものであると特定されるものであるのに対し、引用発明の「カム部材」の「回転」は、上記のような制御を行うものではなく、上記特定を有していない点。
　
　
２−３−４．判断
　引用発明は、カム８８の回転により、吸引ポンプ３８のポンプ室６９を最小状態から所定の大きさに拡大するようにピストン６２，６４を移動させることにより、ポンプ室６９に発生した負圧を利用してインクの吸引を行うものである。
　ここで、引用文献１に、吸引ポンプ３８に関して、「ピストン６２，６４の移動速度が非常に遅い場合には、ポンプ室６９の容積の増大に伴う吸入口６６からのインクおよび空気の流入によって、ポンプ室６９の圧力を常に大気圧に保つことも可能である」との記載がある（上記「２−３−２．引用文献　（１）引用文献１　記載（ヌ）」参照。）ことからみて、引用発明の吸引ポンプ３８は、ピストン６２，６４の駆動を制御することにより、ポンプの内部に生じる負圧を変化させることができるものであると認められる。
　
　そして、インクジェット記録装置の回復装置という技術分野において、記録ヘッドの状況に応じた吸引負圧により吸引回復を行うという技術思想は、特開平６−２０６３２０号公報（特に段落【０００５】および【０００６】参照。），特開平７−３２３５７１号公報（特に請求項１および段落【００１０】参照。），特開平８−５８１０８号公報（特に請求項１および段落【０００９】乃至【００１０】参照。）等に示されているように、本願の原出願の出願前において、当業者には周知のものであったと認められる。
　
　このような技術前提に基づいて、引用文献２に記載された技術事項をみるに、引用文献２には、インクタンク３をキャリッジ３０にセットし、ヘッドユニット１にキャップ部材４を装着して、ポンプ５を作動させると、ポンプ５の吸引力により生じた負圧がキャップ部材４を介してノズル開口２７に作用するものであって、このときの吸引動作は、泡立ちを可及的に防止しながら前記インクタンク３から前記ヘッドユニット１にインクを充填するために、所定時間、例えば０．１乃至１秒が経過した段階でポンプを一時停止させて、吸引動作を停止し、その後所定時間、例えば０．１乃至１秒が経過した段階で再びポンプ５を作動させるという、ポンプ５の間欠駆動をすることにより、インク流路を流れるインクの速度および流量を低い値に抑えた吸引動作を行う技術が開示されていると認められる。
　ここで、引用文献２の実施例に示されるポンプ５の構造（上記「２−３−２．引用文献　（２）引用文献２　記載（ｃ）」参照。）からみて、引用文献２に示される技術においてポンプ５を間欠駆動することは、１回の作動あたりのポンプ５の変位量を小さくするとともに、それに続く停止時間においてインクが流入することによりポンプ５内部の負圧が緩和されるようにポンプ５を駆動しているものであると認められることから、引用文献２には、間欠駆動を用いてポンプ５内部に発生する負圧を低減することにより、インク流路を流れるインクの速度および流量を低い値に抑えた吸引動作を行い、このような吸引動作を行うことによってインクタンク交換時の泡立ちを可及的に防止する技術が開示されていると認められる。
　このような駆動制御によりポンプ内部に発生する負圧を低減することは、ピストン及びシリンダを用いる往復ポンプにおける吸引動作にも、回転ポンプにおける吸引動作にも、共通して使用できるものであると認められる。
　
　したがって、引用発明において、記録ヘッドの状況に応じた吸引負圧により吸引回復を行うという周知の技術思想に基づいて、制御手段がポンプ手段を駆動制御することにより、吸引動作を吸引負圧の異なる複数の態様のうちから選択的に実行できるようにすることは、当業者ならば適宜なしえた設計事項である。
　そして、吸引負圧の異なる複数の態様のうちの一つとして、引用文献２に記載の技術を参考にして、インクタンク交換時に泡が生じないような負圧で吸引を行う制御を付加するとともに、吸引負圧の異なる吸引動作を行うためのポンプ手段の駆動制御として、ピストン部材の駆動を制御することにより負圧を適切な値に調節する制御を採用し、負圧の値として３種類以上の値を取り得るようにすること、および、最大の負圧を得る場合にはポンプ室の容積が最小状態から所定の大きさに拡大するまで連続的にピストン部材の駆動を制御し、最大の負圧よりも小さい負圧を得る場合には、引用文献２に記載された技術事項を参考にして、ポンプ室の容積が最小状態から所定の大きさに拡大するまで間欠的にピストン部材の駆動を制御するように設計することは、当業者ならば容易に想到することができたものである。
　ここで、引用発明におけるポンプ手段である吸引ポンプ３８の構成から見て、引用文献２に記載された発明のように間欠駆動を行うことにより負圧を適切な値に調節しようとした場合には、１回のピストン６２，６４の作動により広げられたポンプ室６９の負圧が、インク及び空気により大気圧に向かって戻っていく過程におけるどのタイミングで次のピストン６２，６４の作動を開始するかを、ピストン６２，６４の駆動の停止時間により調整する制御を採用するものとなると考えられる。よって、引用発明に対し、引用文献２に記載された発明を参考にして間欠駆動を行うことにより負圧を適切な値に調節する制御を採用した場合には、ポンプ室６９に発生する最大負圧が調整できると同時に、停止時間が設けられることにより、最大負圧が生じるまでの負圧の立ち上がり時間も変化する構成となるものである。
　
　上記のとおりであるから、引用発明を、記録ヘッドの状況に応じた吸引負圧により吸引回復を行うという周知の技術思想に基づいて、制御手段がポンプ手段を駆動制御することにより、吸引動作を吸引負圧の異なる複数の態様のうちから選択的に実行できるものとなるように設計する際に、上記引用文献２に記載された技術を参考にして、連続的な駆動および間欠的な駆動によって負圧を調整する手法を採用することにより、もって上記＜相違点＞における制御内容である、最大負圧が生じるまでの負圧の立ち上がり時間を変更する制御を行う構成とすることは、当業者ならば容易に想到することができたものである。
　
　
２−３−５．独立特許要件についてのまとめ
　上記のとおりであるから、＜相違点＞の構成は、引用発明，引用文献２に記載された技術事項および当該技術分野において周知の技術思想に基いて当業者が容易に想到することができたものであり、それにより得られる効果も、当業者ならば予測することができた程度のものに過ぎない。
　
　よって、本件補正発明は、引用発明に基いて当業者が容易に発明をすることができたものであるから、特許法第２９条第２項の規定により特許出願の際独立して特許を受けることができない。
　すなわち、本件補正は平成１８年法律第５５号改正附則第３条第１項によりなお従前の例によるとされる同法による改正前の特許法第１７条の２第５項において準用する同法第１２６条第５項の規定に違反している。
　
　
２−４．補正却下の決定のむすび
　以上のとおり、本件補正は平成１８年法律第５５号改正附則第３条第１項によりなお従前の例によるとされる同法による改正前の特許法第１７条の２第５項において準用する同法第１２６条第５項に規定する要件を満たさないものであり、同法第１５９条第１項で読み替えて準用する同法第５３条第１項の規定により却下すべきものである。
　
　よって、補正の却下の決定の結論のとおり決定する。
　
　
　
３．本願発明について
３−１．本願発明
　本件補正は上記のとおり却下されたため、本願の請求項１乃至４に記載された発明は、平成１６年１１月１２日付け手続補正書にて補正された前記「２−１．（本件補正前の特許請求の範囲：平成１６年１１月１２日付け手続補正書）」にて示したとおりのものであるところ、請求項１に係る発明（以下、「本願発明」という。）は、次のとおりのものである。
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　前記吸引ポンプ手段は、ポンプハウジング内においてポンプ室の容積を可変するように移動可能なピストン部材を有し、
　前記制御手段は、前記吸引キャップをノズル面に密着させた状態で前記記録ヘッドからインクを吸引するために前記ポンプ室を最小状態から所定の大きさに拡大し、その拡大状態から最小状態に戻し前記ポンプ室内のインクを排出する動作を一連の動作として行うように前記ピストン部材を移動させるカム部材を有し、そのカム部材の回転を制御して前記吸引動作を複数の態様のうちから選択的に実行可能であり、
　一つの吸引動作においては、前記カム部材を、前記ポンプ室の容積が最小状態から所定の大きさに拡大するまで連続的に駆動し、
　他の吸引動作においては、前記カム部材を、前記ポンプ室の容積が前記最小状態から前記所定の大きさに拡大するまで間欠的に駆動するとともに、前記ピストン部材を移動する時間と一時停止する時間のうち、前記一時停止する時間の長さを選択的に変化させ、前記一つの吸引動作での最大負圧に達するまでの負圧の立ち上がり時間よりも緩やかな立ち上がりで最大負圧を発生させる態様を含み、前記一つの吸引動作よりもそれぞれ小さな吸引力の複数の吸引態様を選択的に実行することを特徴とするインクジェットプリンタの回復装置。」
　
　
３−２．引用文献
　原査定の拒絶の理由で引用された引用文献およびこれらの記載事項は、前記「２−３−２．引用文献」に記載したとおりである。
　
　
３−３．対比・判断
　本願発明は、前記「２−３．独立特許要件について」で検討した本件補正発明から、
（甲）発明を特定するために必要な事項である「カム部材の回転」の「制御
　　　」について、「ポンプ室の容積が最小状から所定の大きさに拡大する
　　　まで連続的または一時停止する時間の長さを異ならせて間欠的に行う
　　　ことを選択的に」制御する、との限定を省き、
（乙）「一つの吸引動作」および「他の吸引動作」との記載の前にある「前
　　　記複数の態様のうちの」との記載を削除し、
（丙）発明を特定するために必要な事項である「カム部材」が「回転」する
　　　との記載を「駆動」すると変更したもの
に相当する。
　ここで、上記（甲）乃至（丙）のうち、（乙）および（丙）については、実質的に請求項１に係る発明を特定する事項を変更するものではない。してみると、本願発明の構成要件を全て含み、さらに他の構成要件を付加したものに実質的に相当する本件補正発明が、上記「２−３．独立特許要件について」に記載したとおり、引用発明，引用文献２に記載された技術事項および当該技術分野において周知の技術思想に基いて、当業者が容易に発明をすることができたものであるから、本願発明も同様の理由により、引用発明，引用文献２に記載された技術事項および当該技術分野において周知の技術思想に基いて、当業者が容易に発明をすることができたものである。
　
　
３−４．むすび
　以上のとおり、本願発明は、特許法第２９条第２項の規定により特許を受けることができないものである。
　したがって、その余の請求項について論及するまでもなく、本願は、拒絶すべきものである。
　
　よって、結論のとおり審決する。